(57)【特許請求の範囲】
【請求項１】
一方側に流体入口から通じる入口側水通路が設けられると共に、他方側に流体出口に通じる出口側水通路が設けられ、前記入口側水通路と流体出口の中途部に弁座が設けられたボデーと、ホデーの弁座に当、離座する弁体と、弁体の上部側に弁体と別体に設けられた上下移動する弁ロッドと、弁体の下面側に下方へ向けて垂設され、ボデーの下側に設けられた筒状体内に入り込んでいる圧力調整用ロッドと、圧力調整用ロッドの下端部に設けられ、前記筒状体内に上下摺動可能に配設されてその上面側の受圧面積が前記弁体の上面側の受圧面積及び下面側の受圧面積と同一の面積を有するピストン部材と、弁ロッドの下端にこれと一体的に下方へ延びて筒状体の内部下方まで延設され、弁体及び圧力調整用ロッド並びにピストン部材を貫通して前記弁ロッドと共に上下動する垂設ロッドと、垂設ロッドの下端に上下移動可能に配設されたスプリング受け板と、スプリング受け板の下面側の垂設ロッドの下端に設けられた螺子部に螺合する調整ナットと、筒状体内のピストン部材とスプリング受け板との間に配設され、ピストン部材と圧力調整用ロッドを介して弁体を上方へ押圧する圧縮スプリングとから成り、前記圧縮スプリングの上向きの押圧力を調整することにより、流体出口より流出する水の水圧を調整するように構成した消火栓用バルブであって、前記消火栓用バルブは、弁ロッドを下方へ移動させてバルブを閉鎖状態に保持しているときには、圧縮スプリングが延びた状態になり、また、バルブを開放したときには、スプリング受け板が上方へ持ち上げられて圧縮スプリングに圧縮力が発生する構成としたことを特徴とする消火栓用バルブ。
【発明の詳細な説明】
【技術分野】
【０００１】
本発明は、バルブ本体内に圧力調整機構を備えた消火栓用バルブに関するものである。
【背景技術】
【０００２】
図３は、従来技術の一例を示すものであり、当該消火栓装置１０９は、給水装置（図示略）と、給水装置から複数階ある建物の各階に送水する１本の送水管１０３と、自動減圧弁１１０と、消防隊用消火栓１０５と、消火ホース１０６を接続した一般用消火栓１０７とを１つの筐体１０８内に収納することにより形成されている。即ち、送水管１０３から消防隊用消火栓１０５および一般用消火栓１０７にそれぞれ接続される１対の給水管１０４ａ、１０４ｂとが分岐されており、前記給水管１０４ａと一般用消火栓１０７との間には、給水圧力を所定値に自動的に調整する自動減圧弁１１０が設けられている（例えば、特許文献１参照）。
ところが、従来の消火栓装置１０９では、一般用消火栓１０７に圧力調整機構を備えておらず、自動減圧弁１１０を設けているために、消火栓装置１０９が大型化すると共に製造コストが上昇するという問題があった。
【０００３】
【特許文献１】特開２００３−１９９８４１号公報
【発明の開示】
【発明が解決しようとする課題】
【０００４】
本発明は、上記した従来の実情に鑑みてなされたものであり、消火栓用バルブに圧力調整機構を組み込むことにより省スペース化と部品点数の削減ができてメンテナンスが行い易く、更に、内部に組み込まれた圧縮スプリングの圧縮力が変化を起こさず長期間の使用に耐えることができるようにした消火栓用バルブを提供することを目的とするものである。
【課題を解決するための手段】
【０００５】
本発明は、上記課題を解決するために提案されたものであって、請求項１に記載の発明は、一方側に流体入口から通じる入口側水通路が設けられると共に、他方側に流体出口に通じる出口側水通路が設けられ、前記入口側水通路と流体出口の中途部に弁座が設けられたボデーと、ホデーの弁座に当、離座する弁体と、弁体の上部側に弁体と別体に設けられた上下移動する弁ロッドと、弁体の下面側に下方へ向けて垂設され、ボデーの下側に設けられた筒状体内に入り込んでいる圧力調整用ロッドと、圧力調整用ロッドの下端部に設けられ、前記筒状体内に上下摺動可能に配設されてその上面側の受圧面積が前記弁体の上面側の受圧面積及び下面側の受圧面積と同一の面積を有するピストン部材と、弁ロッドの下端にこれと一体的に下方へ延びて筒状体の内部下方まで延設され、弁体及び圧力調整用ロッド並びにピストン部材を貫通して前記弁ロッドと共に上下動する垂設ロッドと、垂設ロッドの下端に上下移動可能に配設されたスプリング受け板と、スプリング受け板の下面側の垂設ロッドの下端に設けられた螺子部に螺合する調整ナットと、筒状体内のピストン部材とスプリング受け板との間に配設され、ピストン部材と圧力調整用ロッドを介して弁体を上方へ押圧する圧縮スプリングとから成り、前記圧縮スプリングの上向きの押圧力を調整することにより、流体出口より流出する水の水圧を調整するように構成した消火栓用バルブであって、前記消火栓用バルブは、弁ロッドを下方へ移動させてバルブを閉鎖状態に保持しているときには、圧縮スプリングが延びた状態になり、また、バルブを開放したときには、スプリング受け板が上方へ持ち上げられて圧縮スプリングに圧縮力が発生する構成としたものである。
【発明の効果】
【０００６】
請求項１に記載の発明によれば、消火栓用バルブに圧力調整機構を組み込み、当該圧力調整機構を形成する圧縮スプリングの弾性力を調整することにより、流体出口側の放水圧力Ｐ２を常に自動的に設定値に保持することができる。また、消火栓装置の省スペース化と部品点数の削減を図ることができてメンテナンスが行い易くなる。
また、請求項１に記載の発明によれば、螺子部と調整ナットを内部に組み込んでいるので、この螺子部とナット部材が外側に露出せずに見栄えをよくすることができるうえ、内部に組み込まれた圧縮スプリングの圧縮力が変化することがなく長期間の使用に耐えることができる。
【発明を実施するための最良の形態】
【０００７】
以下、本発明に係る消火栓用バルブの実施の形態について、図を参照しつつ説明する。
図１は本発明の実施形態に係る消火栓用バルブを示す部分断面正面図である。
図１において、１はボデー、２は流体入口、３は入口側水通路、４は出口側水通路、５は流体出口、６は弁座、６ａは弁座６の開口部、７は弁体、７ａは弁体７の筒状部、８はハンドル、９は弁ロッド、１０は圧力調整用ロッド、１１は筒状体、１１ａは筒状体１１の隔壁、１１ｂは隔壁１１ａの小孔、１２はピストン部材、１３は圧縮スプリング、１５は調整ナット、１６はスプリング受け板、１７は垂設ロッド、１７ａは垂設ロッド１７の螺子部、１８は蓋体である。
【０００８】
この実施形態の消火栓用バルブの構造は、ボデー１の一方側に流体入口２から通じる入口側水通路３が設けられ、他方側に流体出口５に通じる出口側水通路４が設けられている。入口側水通路３と流体出口５の中途部に弁座６が設けられ、この弁座６の開口部６ａが弁体７で開閉されるようになっている。
弁体７の上部側には弁体７と別体に弁ロッド９が設けられ、その上端に弁ロッド９を上下移動するためのハンドル８が設けられている。
【０００９】
弁体７の下面側には、下方に向けて圧力調整用ロッド１０が垂設されていて、この圧力調整用ロッド１０はボデー１の下側に設けられた筒状体１１内に入り込んでいる。この筒状体１１内には、上下摺動可能にピストン部材１２が配設されており、当該ピストン部材１２へ前記圧力調整用ロッド１０の下端部が固定されている。このピストン部材１２の上面側の受圧面積（ピストン部材１２の入口側の水の圧力Ｐ1を受ける面積）は弁体７の上面側の受圧面積（弁体７の出口側の水の圧力Ｐ2を受ける面積）及び弁体７の下面側の受圧面積（弁体７の入口側の水の圧力Ｐ1を受ける面積）と同じ面積になっている。又、筒状体１１の上端は離壁１１ａが設けられ、この離壁１１ａに小孔１１ｂが穿設されている。更に、筒状体１１内のピストン部材１２の下側には、ピストン部材１２と圧力調整用ロッド１０を介して弁体７を上方へ押圧する力を調整する圧縮スプリング１３が配設されている。この圧縮スプリング１３の上向きの押圧力を調整することにより、流体出口５より流出する水の水圧を調整する。
【００１０】
そして、この実施形態の消火栓用バルブでは、弁ロッド９の下端にこれと一体的に下方へ延びる垂設ロッド１７が形成されており、当該垂設ロッド１７は弁体７、圧力調整用ロッド１０及びピストン部材１２を挿通して、筒状体１１の内部下方まで延設されていて、前記弁ロッド９と一体となって上下方向へ移動する。前記垂設ロッド１７の下端には、上下移動可能にスプリング受け板１６が配設されている。このスプリング受け板１６の下面側の垂設ロッド１７の下端には、螺子部１７ａが設けられており、この螺子部１７ａに螺合する調整ナット１５が設けられている。筒状体１１の下端には蓋体１８が取りつけ取り外し可能に取りつけられている。
【００１１】
ここで、弁体７の上面側の受圧面積と、弁体７の下面側の受圧面積と、ピストン部材１２の上面側の受圧面積とは同一であり、これらの受圧面積をＳ1とし、圧縮スプリング１３の弾力をｆとし、入口側（送水元側）の水の圧力をＰ1とし、出口側（送水先側）の水の圧力をＰ2とし、圧力調整用ロッド１０にかかる下向きの力をＦDとし、圧力調整用ロッド１０にかかる上向きの力をＦUとすると、
ＦD＝Ｐ2Ｓ1＋Ｐ1Ｓ1
ＦU＝ｆ＋Ｐ1Ｓ1
となる。
圧力調整用ロッド１０がバランスしたときには、
ＦD＝ＦUとなるため、
Ｐ2Ｓ1＋Ｐ1Ｓ1−（ｆ＋Ｐ1Ｓ1）＝０となる。
従って、
Ｐ2Ｓ1＝ｆ
となって、圧縮スプリング１３の弾力ｆを調整することにより、流体出口（送水先側）５の水の圧力Ｐ2は常に圧縮スプリング１３の弾力をｆに保持できることになる。
【００１２】
このことにより、圧縮スプリング１３の弾力を調整することで、適度な減圧を行うことができることとなる。即ち、圧縮スプリング１３の圧縮力ｆが変わらないと、一定の放水圧に保持されることになる。
【００１３】
この実施形態の消火栓用バルブによれば、消火栓用バルブに圧力調整機構を組み込んでいるため、省スペース化と部品点数削減を図ることができてメンテナンスが行い易い。しかも、圧縮スプリング１３の圧縮力を長期間一定値に保つことができる。
【００１４】
更に、この実施形態の消火栓用バルブによれば、螺子部１７ａと調整ナット１５を内部に組み込んでいるので、この螺子部１７ａと調整ナット１５が外側に露出せずに見栄えをよくすることができる。また、弁ロッド９を下方へ移動させてバルブを閉鎖状態に保持しているときには、圧縮スプリング１３は延びた状態（非圧縮）になっている。そして、バルブを開放した時、スプリング受け板１６が上方へ持ち上げられて圧縮スプリング１３に圧縮力ｆが発生するため、圧縮スプリング１３の圧縮力ｆが長期に渡って一定値に保持される。
【００１５】
図２は本発明の消火栓用バルブを建物用消火設備に適用した例を示す正面図である。
これは、図２に示すように、給水装置（図示略）から複数階の建物の各階に送水する１本の送水管１９が設けられ、この送水管１９から各階の消防用消火栓２０と本発明の消火栓用バルブからなる一般用消火栓２１とに別々に給水するための２本の給水管２２、２３とが設けられている。
【００１６】
このように、本発明の消火栓用バルブを一般用消火栓２１として使用することによって、従来備えられていた自動減圧弁を設ける必要がなく、部品点数を削減することができて、全体の構造を簡略化することができる。
尚、本発明の消火栓用バルブは、一般用消火栓として使用できるだけでなく、消防用消火栓２０と兼用する以外の消火栓装置のバルブとしても利用できることは勿論である。
【図面の簡単な説明】
【００１７】
【図１】本発明の実施形態に係る消火栓用バルブを示す部分断面正面図である。
【図２】本発明の消火栓バルブを建物用消火設備に適用した例を示す正面図である。
【図３】従来の建物用消火設備を示す正面図である。
【符号の説明】
【００１８】
１はボデー、２は流体入口、３は入口側水通路、４は出口側水通路、５は流体出口、６は弁座、７は弁体、７ａは筒状部、８はハンドル、９は弁ロッド、１０は圧力調整用ロッド、１１は筒状体、１１ａは隔壁、１１ｂは小孔、１２はピストン部材、１３は圧縮スプリング、１５は調整ナット、１６はスプリング受け板、１７は垂設ロッド、１７ａは螺子部、１８は蓋体、１９は送水管、２０は消防用消火栓、２１は一般用消火栓、２２は給水管、２３は給水管。
【図１】
0004467285.tif 000002
【図２】
0004467285.tif 000003
【図３】
0004467285.tif 000004